【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
通信部および制御部を備える電子機器であって、
前記制御部は、
第１外部装置より送信され、かつ、任意の属性を割り当てた１つ以上の座標軸を有する第１座標系を特定する第１座標系設定情報を、前記通信部により受信し、
前記第１外部装置より受信したものではない前記属性に関する第２データを、前記第１外部装置より受信した前記第１座標系設定情報により特定される前記第１座標系に合わせてプロットして得られるグラフを含む画像を生成する
電子機器。
【請求項２】
前記制御部は、
前記電子機器が備えるデータ取得部により、または、前記第１外部装置とは異なる第２外部装置より、前記第２データを受信する
請求項１記載の電子機器。
【請求項３】
前記制御部は、
前記第１座標系設定情報と、前記第１座標系設定情報に関連付けられた前記属性に関する第１データとを、前記第１外部装置より受信し、
任意の属性を割り当てた１つ以上の座標軸を有する第２座標系を特定する第２座標系設定情報と、前記第２座標系に関連付けられた前記属性に関するデータである前記第２データとを、第２外部装置より受信し、
前記第１座標系設定情報および前記第２座標系設定情報を含む複数の座標系設定情報の中から、前記座標系設定情報または前記第２座標系設定情報である一つの座標系設定情報を選択し、
前記第１データおよび前記第２データを、選択した前記一つの座標系設定情報に合わせてプロットして得られる第１グラフおよび第２グラフを少なくとも含む画像を生成する
請求項１または請求項２記載の電子機器。
【請求項４】
前記第１グラフの第１の表示態様を指定する第１表示態様指定情報を、前記第１座標系設定情報とともに、前記第１外部装置より受信し、
前記第２グラフの第２の表示態様を指定する第２表示態様指定情報を、前記第２座標系設定情報とともに、前記第２外部装置より受信し、
選択した前記一つの座標系設定情報により特定される一つの座標系に合わせて、前記第１データをプロットして得られる前記第１の表示態様で描画された第１グラフと、前記一つの座標系設定情報に合わせて、前記第２データをプロットして得られる前記第２の表示態様で描画された第２グラフとを、少なくとも含む画像を生成する
請求項３記載の電子機器。
【請求項５】
第１回帰式の種別を指定する第１回帰式種別情報を、前記第１座標系設定情報とともに、前記第１外部装置より受信し、
第２回帰式の種別を指定する第２回帰式種別情報を、前記第２座標系設定情報とともに、前記第２外部装置より受信し、
選択した前記一つの座標系設定情報により特定される一つの座標系において、前記第１データおよび前記第１回帰式に基づいて得られる第１回帰グラフと、前記第２データおよび前記第２回帰式に基づいて得られる第２回帰グラフとを、少なくとも含む画像を生成する
請求項３または請求項４記載の電子機器。
【請求項６】
前記制御部は、
生成した前記画像を表示部へ表示する
請求項１乃至請求項５の何れか一項記載の電子機器。
【請求項７】
前記制御部は、
任意の属性を割り当てた１つ以上の座標軸を有する第３座標系を設定し、
設定した前記第３座標系を特定する第３座標系設定情報を、前記通信部により外部へ送信する
請求項１乃至請求項６の何れか一項記載の電子機器。
【請求項８】
通信部および制御部を備える電子機器の前記制御部によって、
第１外部装置より送信され、かつ、任意の属性を割り当てた１つ以上の座標軸を有する第１座標系を特定する第１座標系設定情報を、前記通信部により受信させ、
前記第１外部装置より受信したものではない前記属性に関する第２データを、前記第１外部装置より受信した前記第１座標系設定情報により特定される前記第１座標系に合わせてプロットして得られるグラフを含む画像を生成させる
プログラム。
【請求項９】
請求項８記載のプログラムを、通信ネットワークを介して配信するサーバ。
【請求項１０】
電子機器と、第１外部装置と、第２外部装置とを備え、
前記第１外部装置は、
任意の属性を割り当てた１つ以上の座標軸を有する第１座標系を設定し、
設定した前記第１座標系を特定する第１座標系設定情報を、前記第１外部装置の第１通信部により外部へ送信し、
前記第２外部装置は、
任意の属性を割り当てた１つ以上の座標軸を有する第２座標系を設定し、
設定した前記第２座標系に関連付けられた前記属性に関するデータである第２データと、設定した前記第２座標系を特定する第２座標系設定情報とを、前記第２外部装置の第２通信部により外部へ送信し、
前記電子機器は、
前記第１座標系設定情報を前記第１外部装置より受信し、
前記第２データを前記第２外部装置より受信し、
受信した前記第２データを、前記第１座標系設定情報により特定される前記第１座標系に合わせてプロットして得られるグラフを含む画像を生成する
グラフ画像生成システム。
【請求項１１】
通信部および制御部を備える電子機器であって、
前記制御部は、
外部装置より送信され、かつ、任意の属性を割り当てた１つ以上の座標軸を有する座標系を特定する座標系設定情報を、前記通信部により受信し、
前記外部装置より受信したものではない前記属性に関するデータを、前記外部装置より受信した前記座標系設定情報により特定される前記座標系に合わせてプロットして得られるグラフを含む画像を、第２の外部装置により生成させるために、受信した前記座標系設定情報を、前記通信部により外部へ送信する
電子機器。
【請求項１２】
通信部および制御部を備える電子機器の前記制御部によって、
外部装置より送信され、かつ、任意の属性を割り当てた１つ以上の座標軸を有する座標系を特定する座標系設定情報を、前記通信部により受信させ、
前記外部装置より受信したものではない前記属性に関するデータを、前記外部装置より受信した前記座標系設定情報により特定される前記座標系に合わせてプロットして得られるグラフを含む画像を、第２の外部装置により生成させるために、受信した前記座標系設定情報を、前記通信部により外部へ送信させる
プログラム。
【請求項１３】
請求項１２記載のプログラムを、通信ネットワークを介して配信するサーバ。
【請求項１４】
電子機器と、第１外部装置と、第２外部装置とを備え、
前記第１外部装置は、
任意の属性を割り当てた１つ以上の座標軸を有する座標系を設定し、
設定した前記座標系を特定する座標系設定情報を、前記第１外部装置の第１通信部により外部へ送信し、
前記電子機器は、
前記座標系設定情報を前記第１外部装置より受信し、
受信した前記座標系設定情報を外部へ送信し、
前記第２外部装置は、
前記第１外部装置より受信したものではない前記属性に関するデータを、前記第１外部装置より受信した前記座標系設定情報により特定される前記座標系に合わせてプロットして得られるグラフを含む画像を生成する
グラフ画像生成システム。
【手続補正２】
【補正対象書類名】明細書
【補正対象項目名】発明の名称
【補正方法】変更
【補正の内容】
【発明の名称】電子機器、サーバ、グラフ画像生成システムおよびプログラム
【手続補正３】
【補正対象書類名】明細書
【補正対象項目名】０００１
【補正方法】変更
【補正の内容】
【０００１】
本発明は、科学的特性を測定したデータをプロットしたグラフを描画するための電子機器、サーバ、グラフ画像生成システムおよびプログラムに関する。
【手続補正４】
【補正対象書類名】明細書
【補正対象項目名】０００７
【補正方法】変更
【補正の内容】
【０００７】
本発明は、このような課題に鑑みなされたもので、別の生徒が測定した別のデータを使って、ある生徒がグラフを描画するために用いたグラフフォーマットと同じフォーマットで別のグラフを描画する際の、従来煩雑であったユーザ操作を簡略化することが可能になる電子機器、サーバ、グラフ画像生成システムおよびプログラムを提供することを目的とする。
【手続補正５】
【補正対象書類名】明細書
【補正対象項目名】０００８
【補正方法】変更
【補正の内容】
【０００８】
本発明に係る電子機器は、
通信部および制御部を備える電子機器であって、
前記制御部は、
第１外部装置より送信され、かつ、任意の属性を割り当てた１つ以上の座標軸を有する第１座標系を特定する第１座標系設定情報を、前記通信部により受信し、
前記第１外部装置より受信したものではない前記属性に関する第２データを、前記第１外部装置より受信した前記第１座標系設定情報により特定される前記第１座標系に合わせてプロットして得られるグラフを含む画像を生成する
ことを特徴としている。
【手続補正６】
【補正対象書類名】明細書
【補正対象項目名】０００９
【補正方法】変更
【補正の内容】
【０００９】
本発明に係るグラフ画像生成システムは、
電子機器と、第１外部装置と、第２外部装置とを備え、
前記第１外部装置は、
任意の属性を割り当てた１つ以上の座標軸を有する第１座標系を設定し、
設定した前記第１座標系を特定する第１座標系設定情報を、前記第１外部装置の第１通信部により外部へ送信し、
前記第２外部装置は、
任意の属性を割り当てた１つ以上の座標軸を有する第２座標系を設定し、
設定した前記第２座標系に関連付けられた前記属性に関するデータである第２データと、設定した前記第２座標系を特定する第２座標系設定情報とを、前記第２外部装置の第２通信部により外部へ送信し、
前記電子機器は、
前記第１座標系設定情報を前記第１外部装置より受信し、
前記第２データを前記第２外部装置より受信し、
受信した前記第２データを、前記第１座標系設定情報により特定される前記第１座標系に合わせてプロットして得られるグラフを含む画像を生成する
ことを特徴としている。
【手続補正７】
【補正対象書類名】明細書
【補正対象項目名】００１０
【補正方法】変更
【補正の内容】
【００１０】
本発明に係る他の電子機器は、
通信部および制御部を備える電子機器であって、
前記制御部は、
外部装置より送信され、かつ、任意の属性を割り当てた１つ以上の座標軸を有する座標系を特定する座標系設定情報を、前記通信部により受信し、
前記外部装置より受信したものではない前記属性に関するデータを、前記外部装置より受信した前記座標系設定情報により特定される前記座標系に合わせてプロットして得られるグラフを含む画像を、第２の外部装置により生成させるために、受信した前記座標系設定情報を、前記通信部により外部へ送信する
ことを特徴としている。  
本発明に係る他のグラフ画像生成システムは、
電子機器と、第１外部装置と、第２外部装置とを備え、
前記第１外部装置は、
任意の属性を割り当てた１つ以上の座標軸を有する座標系を設定し、
設定した前記座標系を特定する座標系設定情報を、前記第１外部装置の第１通信部により外部へ送信し、
前記電子機器は、
前記座標系設定情報を前記第１外部装置より受信し、
受信した前記座標系設定情報を外部へ送信し、
前記第２外部装置は、
前記第１外部装置より受信したものではない前記属性に関するデータを、前記第１外部装置より受信した前記座標系設定情報により特定される前記座標系に合わせてプロットして得られるグラフを含む画像を生成する
ことを特徴としている。